(57)【要約】【課題】簡単な構造で内容物を簡単で衛生的に取り出すことができる容器を提供する。【解決手段】クリーム状の内容物４４を収容し筒状の側面を有して側面１６の内壁面の横方向断面形状が上部から底部まで均一に形成された容器本体１１と、側面１６に摺動可能に嵌合された中蓋３４と、中蓋３４の天面部３６に形成された押出孔４０と、中蓋３４の天面部３６で押出孔４０の周囲を連続して囲んで形成された突部４２を有する。中蓋３４は、下方に力を加えると押出孔４０から内容物４４が押出されるとともに下方に移動し、容器本体１１の底部まで到達可能に設けられている。押出孔４０は、複数個の透孔が互いに所定距離離れて設けられ、または所定長さの長孔に形成されている。【選択図】        図１
2004175403.tif 000002
【特許請求の範囲】
【請求項１】
クリーム状の内容物を収容し筒状の側面を有して上記側面の内壁面の横方向断面形状が上部から底部まで均一に形成された容器本体と、上記側面内壁に摺動可能に嵌合された中蓋と、上記中蓋の天面部に形成された押出孔と、上記中蓋の上記天面部で上記押出孔の周囲を連続して囲んで形成された突部とが設けられ、上記中蓋は、下方に力を加えると上記押出孔から内容物が押出されるとともに下方に移動し、上記容器本体の底部まで到達可能に設けられ、上記押出孔は、複数個の透孔が互いに所定距離離れて設けられ、または所定長さの長孔に形成されていることを特徴とする容器。
【請求項２】
上記押出孔には、着脱自在に設けられた中栓を備えることを特徴とする請求項１記載の容器。
【請求項３】
上記突部は、上記押出孔をほぼ中心とする楕円形または長円形に形成され、上記突部の径方向の断面形状は、楕円形または長円形の中心に向かって低くなった凹面状の曲面に形成されていることを特徴とする請求項１記載の容器。
【請求項４】
上記側面は中空な肉抜き構造であることを特徴とする請求項１記載の容器。
【発明の詳細な説明】
【０００１】
【発明の属する技術分野】
この発明は、クリーム状の医薬品や化粧品等の比較的粘性の高い内容物を収容し取り出し可能とした容器に関する。
【０００２】
【従来の技術】
【特許文献１】特開昭５２−２０１６６号公報
従来、クリーム状の内容物を収容した容器としては、円筒状の本体と、本体に螺合して着脱可能な蓋が設けられたものがある。そして、容器の中に入れられたクリーム状の内容物を、指ですくって必要量を取り出し、使用するものであった。
【０００３】
また、このような容器内に移動自在な中蓋を付けてこの中蓋の開口部から内容物を押し出して取り出す構造のものとしては、特許文献１に開示されている、化粧用クリーム等のポットがある。このポットは、容器内に容器の壁に密接する移動自在な中蓋を有し、この中蓋内には容器の内容物を取り出すための開口部が設けられている。そして、中蓋に対して揺動自在の揺動片であるキャップが設けられ、このキャップにより開口部を閉鎖及び開放可能に設けられている。キャップには、開口部に連通する孔と、孔に連通する取り出しオリフィスがキャップを貫通して設けられている。このポットの使用方法は、内容物を容器から取り出すときは、キャップの孔を中蓋の開口部に一致させるように移動し、そして中蓋に軽く圧力を掛ける。すると、ポットの内容物が開口部と孔を通って取出用オリフィスに流出し、取出用オリフィスから盛り上がって出た内容物を指先で採取することができる。
【０００４】
【発明が解決しようとする課題】
上記従来の技術の前者の場合、内容物のクリームに直接手を触れてすくうため、容器内へ雑菌や異物が進入し、衛生的ではなく、容器の側縁部や蓋部材に内容物が付着して汚れ易いものであった。また、蓋部材の裏面に内容物が付着するため、蓋部材を密閉して取りつけるための突起形状等を設けることができず、蓋部材の裏面にシールパッキンを貼り付ける方法で気密性を保持していたが、部品点数が多くなるという問題があった。
【０００５】
また、上記従来の技術の後者の場合、中蓋等の部品点数が多く、コストがかかるものである。さらに、蓋を押圧するときに、キャップの取出用オリフィスを指で塞ぐと内容物が出ないため、取出用オリフィスの開口を塞がないように押さなければならず操作性が悪いものである。さらに、中蓋とキャップの孔内に内容物が残り、最終的に使い切らない内容物が多くなるという問題もある。
【０００６】
この発明は、上記従来の問題点に鑑みてなされたものであり、簡単な構造で内容物を簡単で衛生的に取り出すことができる容器を提供することを目的とする。
【０００７】
【課題を解決するための手段】
この発明は、クリーム、軟膏、ペースト、またはゲル等のクリーム状のクリーム状の内容物を収容し筒状の側面を有して上記側面の内壁面の横方向断面形状が上部から底部まで均一に形成された容器本体と、上記側面内壁に摺動可能に嵌合された中蓋と、上記中蓋の天面部に形成された押出孔と、上記中蓋の上記天面部で上記押出孔の周囲を連続して囲んで形成された突部とが設けられ、上記中蓋は、下方に力を加えると上記押出孔から内容物が押出されるとともに下方に移動し、上記容器本体の底部まで到達可能に設けられた容器である。そして、上記押出孔は、複数個の透孔が互いに所定距離離れて設けられ、または所定長さの長孔に形成されている。また、上記押出孔には、着脱自在に設けられた中栓を備える。
【０００８】
上記突部は、上記押出孔をほぼ中心とする楕円形または長円形に形成され、上記突部の径方向の断面形状は、楕円形または長円形の中心に向かって低くなった凹面状の曲面に形成されている。上記側面は、中空な肉抜き構造である。
【０００９】
この発明の容器は、中蓋を指で押さえると、内容物に圧力がかかり、中蓋が下方へ押し下げられるとともに内容物が押出孔から押出されるようにしたものである。押出された内容物は、突部内面に沿って指先ですくって使用することができる。
【００１０】
【発明の実施の形態】
以下、この発明の実施形態について図面に基づいて説明する。図１〜図３は、この発明の一実施形態を示すもので、この実施形態の容器１０は、容器本体１１と後述する蓋部材５４とから成り、容器本体１１は、円筒状の本体側面１２と、本体側面１２の下面開口部が閉鎖された底部１４から成る。本体側面１２は、中空の肉抜き構造であり、本体側面１２の内周面は相対的に厚さの薄い円筒状の内側本体側面１６により形成され、内側本体側面１６の横方向の断面形状は、内周面が上端部１６ａから下端部１６ｂまで均一で同じ内径の円形である。内側本体側面１６の外側には、内側本体側面１６よりも少し径が大きい円筒状の外側本体側面１８が、所定の肉抜き空間部を空けて同心的に設けられている。外側本体側面１８の上端部１８ａは、内側本体側面１６の上端部１６ａから鍔状の延出部２０を経て一体に連続して形成されている。また、外側本体側面１８の下端部１８ｂは、内側本体側面１６ｂよりも下方に延出している。
【００１１】
容器１０の内側の底部１４は、内側本体側面１６の下端部１６ｂから連続してほぼ直角に内側底面２２が一体に形成されている。内側底面２２の外側には、円板状に別体に形成された外側底面２４が、外側本体側面１８の下端部１８ｂの内周面に係止されて設けられている。取付方法は、外側本体側面１８ｂの内周面に係合溝部２６が形成され、そこへ外側底面２４を押し込むと外側本体側面１８がいったん弾性変形して広がり、外側底面２４が係合溝部２６に嵌合されると、弾性変形が元に戻り、外側底面２４が係止される。この取り付けは、加熱や超音波処理等で溶着しても良い。さらに、内側底面２２の外側面には、外側底面２４側に突出する円筒形の支持部２８が設けられ、支持部２８の先端は、外側底面２４にほぼ当接している。
【００１２】
内側本体側面１６の上端部１６ａには、内側本体側面１６を同じ内径で上方に延出させて形成された筒状の取付部３０が設けられ、取付部３０の外周面には、後述する蓋部材５４が螺合される雄ねじ３２が形成されている。
【００１３】
容器１０の取付部３０の内側には、中蓋３４が摺動可能に嵌合されている。中蓋３４は、取付部３０とそれに連続する内側本体側面１６に隙間なく摺動可能な状態で嵌合される円形の天面部３６と、天面部３６の周縁部に連続して形成され天面部３６に対して直角に取付部３０の内周面に沿う短い筒状の摺接部３８が設けられている。
【００１４】
天面部３６の中央には、天面部３６を貫通する一対の透孔である押出孔４０が設けられている。一対の押出孔４０は、天面部３６の中心を挟んで半径方向に対称に位置している。天面部３６の中央付近には、一対の押出孔４０を連続して囲む突部４２が天面部３６から立ち上がって形成されている。突部４２は、押出孔４０をほぼ中心とする長円形に形成され、突部４２の半径方向の断面形状は、長円形の中心に向かって低くなった凹面状の曲面に形成されている。そして、中蓋３４の下側で、本体側面１２の内側には、クリーム状の薬剤や化粧品等の内容物４４が入れられている。
【００１５】
中蓋３４の押出孔４０には、中栓４６が設けられている。中栓４６には、突部４２を覆う長円形の保持板４８が設けられ、保持板４８の周縁部には保持板４８に対して直角な縁部５０が一周して形成されている。保持板４８の、縁部５０と反対側の面には、押出孔４０に密着して差し込まれる棒状の一対の栓部５２が形成されている。
【００１６】
容器１０の取付部３０の外周面には、蓋部材５４が着脱自在に螺合している。蓋部材５４は、円形の上面５６と、上面５６の周縁部に連続する円筒状の蓋部側面５８が設けられ、蓋部側面５８の内側には、本体側面１２の取付部３０に形成された雄ねじ３２に螺合される雌ねじ６０が形成されている。また、蓋部材５４の上面５６の裏面には、取付部３０の上端面３０ａに当接する小さい突起６２が設けられ、突起６２の内側には取付部３０の内周面全面に嵌合して当接する大きい突起６４が設けられている。蓋部材５４は、小さい突起６２と大きい突起６４が取付部３０に当接することにより、容器内を密閉して取り付けられる。
【００１７】
次に、この実施形態の容器１０の使用方法について説明する。内容物４４を取り出すとき、蓋部材５４を本体側面１２の取付部３０から外し、中栓４６を中蓋３４の押出孔４０から取り外す。そして、中蓋３４の天面部３６の一部分、例えば突部４２で囲まれた長丸の内側を、指で押す。このとき一方の押出孔４０が指で閉鎖されても良い。そして、内容物４４に圧力が加わり、中蓋３４が取付部３０と内側本体側面１６の下方に向かって押し下げられ、これに伴い塞がれていない押出孔４０から内容物４４が押出され、突部４２の内側にたまる。このとき、中蓋３４は押出された内容物４４の量だけわずかに下方へ移動する。そして、指を移動させて突起４２に囲まれた長円内に溜まった内容物４４をすくい取り、指定の用法で使用する。そして、内容物４４が無くなった状態で、中蓋３４は内側底面２２に達する。
【００１８】
この実施形態の容器１０によれば、簡単な構造であり、衛生的に必要量の内容物４４を取り出して使用することができ、容器１０内の内容物を指で無作為に触れることがないので、容器１０内への雑菌や異物の進入を防ぐことができる。また、空気と内容物４４の接触面積も小さくなるため、内容物４４の酸化・乾燥等の防止にも効果がある。本体側面１２は肉抜き構造であり、厚肉部分をなくすことで成形時に発生するヒケを防止することができる。これにより、内側本体１６の横方向の断面形状は、内周面が上端部１６ａから下端部１６ｂまで均一な円形となり中蓋３４の摺動がスムーズで内容物４４のヨコ漏れ等がない。本体側面１２の外側本体側面１８は、蓋部材５４と同じ径や大径に形成可能であり、外観が良く高級感がある。底部１４もヒケが発生せず内側底面２２が平坦に形成されるため、内容物４４がなくなるときに中栓３４の天面部３６が内側底面２２の全面に当接し、内容物４４を無駄がなく使い切ることができる。また、肉抜きにより使用樹脂原料を減らすとともに成形時の成形サイクルタイムの短縮が可能となる。
【００１９】
また、押出孔４０は突部４２で囲まれているため、押出孔４０から出る内容物４４が付着する部位は突部４２の内側だけに抑えられるため、内容物４４を無駄にすることなく最後まで清潔に使用することができる。突部４２には湾曲してくぼみが形成され、内容物４４を指ですくうときには、くぼみの曲面と指先が密着するので、突部４２内側に溜まった内容物４４を残すことなくきれいにすくい取ることができる。突部４２のくぼみは、突部４２の外周に向かって迫り上がっているので、指ですくい上げたときに内容物４４が突部４２の外側に垂れ落ちることがない。そして、押出孔４０は、２個設けられているため、中蓋３４を押し下げるときに押出孔４０をすべて塞いでしまうことが無く、内容物４４を確実に押し出すことができる。突部４２は、天面部３６上に長円状に形成され、長手方向に押出孔４０が並べられて設けられているため、押出孔４０を指で押す際に、図１に示すように、使用者から遠い位置に位置する押出孔４０をふさいで中蓋３４を押し下げ、次に内容物が押出された押出孔４０に向かって指を移動させることにより、手前の押出孔４０から内容物４４が押出される。この状態で、指を手前に移動させるだけで内容物４４をすくうことができ、内容物を垂らしたり残したりすることなくきれいにすくい取ることができる。
【００２０】
さらに、蓋部材５４に内容物４４が付着しないため、蓋部材５４を本体側面１２の取付部３０に密閉して取りつけるための突起６２，６４を形成することができ、例えば密閉用のシールパッキン等を貼り付ける必要がなく、部品点数を減らすとともに組立工数を低減することができる。また、中蓋３４には、押出孔４０の内側に少量の内容物４４しか残らないため、無駄が無く使い切ることができる。中栓４６は、中蓋３４の押出孔４０を密閉するため、内容部４４がゲル等の粘度の低いものでも、使用前や持ち運びの時に、押出孔４０から内容物４４が出ることが無く、安全に収容することができる。
【００２１】
なお、この発明の容器は上記実施の形態に限定されるものではなく、押出孔は、円形の透孔が二つ設けられたもの以外に細長い長孔等でも良く３個以上の押出孔を設けても良い。押出孔を囲む突部の形状、中栓の形状等は、適宜に変更可能である。内容物は医薬品や化粧品に限らず、種々のクリームに利用することができるものであり、クリームの他、軟膏、ペースト、ゲル体等を含むクリーム状の材料全てに利用可能である。本体側面や底部の中空構造は、上記実施の形態以外に、例えば内側本体側面と内側底面が一体で、外側本対側面と外側底面が一体とし、この２部材を組み立てて形成しても良い。
【００２２】
【発明の効果】
この発明の容器は、簡単な構造であり、容易な操作で、衛生的に内容物を取り出して使用することができる。また、内容物を押し出す押出孔は、指の形に沿う突起で囲まれているので、内容物を広げることなく容易に指に沿ってきれいにすくうことができる。さらに、中栓を設けて押出孔を閉鎖可能に設けることにより、粘性の低いクリームやジェル等に利用した際にも、持ち運び時等に内容物が押出孔から出てしまうことがない。
【図面の簡単な説明】
【図１】この発明の一実施形態の容器の使用状態を示す縦断面図である。
【図２】この実施形態の容器の蓋部材を閉めた状態を示す縦断面図である。
【図３】この実施形態の容器の平面図である。
【符号の説明】
１０  容器
１１  容器本体
１２  本体側面
１４  底部
１６  内側本体側面
１８  外側本体側面
２２  内側底面
２４  外側底面
２６  係合溝部
２８  支持部
３０  取付部
３４  中蓋
３６  天面部
３８  当接部
４０  押出孔
４２  突部
４４  内容物
４６  中栓
４８  保持板
５０  縁部
５２  栓部
５４  蓋部材
５６  上面
５８  蓋部側面
６２，６４  突起
【図１】
2004175403.tif 000003
【図２】
2004175403.tif 000004
【図３】
2004175403.tif 000005